【事件の表示】
　特許第２７６６３２３号「表示調整装置」の請求項１ないし２に係る特許に対する特許異議の申立てについて、次のとおり決定する。
【結論】
　訂正を認める。
　特許第２７６６３２３号の請求項２に係る特許を維持する。
【理由】
Ｉ　手続の経緯
　本件特許第２７６６３２３号の請求項１、２に係る発明についての出願は、平成１年７月１９日に出願され、平成１０年４月３日にその特許の設定登録がなされ、その後、特許異議申立人パイオニア株式会社、同シャープ株式会社より特許異議の申立てがなされ、取消理由通知がなされ、その指定期間内である平成１１年５月１４日に訂正請求（後日取下げ）がなされ、再度の取消理由通知がなされ、その指定期間内である平成１１年９月７日に訂正請求がなされたものである。
ＩＩ　訂正の適否についての判断
１　訂正の内容
（１）　請求項１を削除する。
（２）　請求項２の「この表示手段の表示コントラストを調整する調整データを記憶する記憶手段と、この記憶手段に記憶された前記調整データに従って前記表示手段の表示コントラストを調整する調整手段と、前記入力手段から入力された情報によって前記記憶手段に記憶された調整データを変更する変更モードを設定するモード設定手段と、このモード設定手段により調整データ変更モードが設定されたとき、前記記憶手段に記憶されている第１の調整データを読み出し、この第１の調整データに従った表示コントラストで第１の調整データ自体を前記表示手段に表示するように前記表示手段及び前記調整手段を制御し、これに続いて前記入力手段から第２の調整データが入力されたとき、この第２の調整データに従った表示コントラストで第２のデータ自体を前記表示手段に表示するように前記表示手段及び前記調整手段を制御する制御手段」を「この表示手段の表示コントラストを
指定
数値
数値
数値
数値
数値
数値
と前記モード設定手段で設定されたモード内容と
数値
数値
数値
と前記モード設定手段で設定されたモード内容と
（３）　特許請求の範囲を上記（１）、（２）のように訂正するのに伴い、発明の詳細な説明中、（課題を解決するための手段）、（作用）の各段の記載を上記（１）、（２）の訂正事項に対応して訂正する。
２　訂正の目的の適否、新規事項の有無および拡張・変更の存否
（１）　上記１（１）の訂正は、特許請求の範囲の減縮を目的とする訂正であり、新規事項の追加に該当しない。
（２）　上記１（２）の訂正に関連する記載として、特許明細書および図面には、実施例の記載において、「テンキー３２により調整用コードとしてたとえば「９９」が入力された後、コピーキー３１が投入されたとする。すると、たとえば第２図（ｂ）に示す如く、選択中の複写倍率「１００％」ａ、「ＬＤＣコントラスト」ｂ、「１２８（メモリ１２に記憶されている現在の調整データ）」ｃ、ｄがＬＤＣに表示される。」（特許公報の６欄１７〜２２行）、「テンキー３２によりたとえば「１３８」がキー入力されたとする。すると、たとえば第２図（ｃ）に示す如く、ＬＤＣ４１のｃの位置にキー入力された新しい調整データ「１３８」が表示される。」（同６欄２９〜３２行）と記載されており、これらの記載において、「１２８」、「１３８」が「数値データ」であり、「テストモード」、「ＬＣＤコントラスト」が「モード内容」であることは明らかである。
　したがって、上記１（２）の訂正は、特許請求の範囲の減縮を目的とする訂正であり、新規事項の追加に該当しない。
（３）　上記１（３）の訂正は、明瞭でない記載の釈明を目的とする訂正であり、新規事項の追加に該当しない。
（４）　そして、上記１（１）〜（３）のいずれの訂正も、実質上特許請求の範囲を拡張し、または変更するものではない。
３　独立特許要件
（１）　訂正明細書の請求項に係る発明
　訂正明細書の請求項に係る発明（以下、「本件発明」という。）は、その特許請求の範囲の請求項に記載された次の事項により特定されるとおりのものである。
「本体装置への制御情報をキー入力する入力手段と、
　少なくとも前記本体装置の動作状態を表示する表示手段と、
　この表示手段の表示コントラストを
指定
数値
　この記憶手段に記憶された前記
数値
　前記入力手段から入力された情報によって前記記憶手段に記憶された
数値
　このモード設定手段により
数値
数値
数値
数値
前記モード設定手段で設定されたモード内容と
数値
数値
数値
前記モード設定手段で設定されたモード内容と
を具備したことを特徴とする表示調整装置。」
（２）　引用刊行物
　当審が平成１１年６月２８日付けで通知した取消理由で引用した刊行物１（実願昭６２−１７７１０６号（実開平１−８１６３５号）のマイクロフィルム）には、「液晶表示装置と、複数種の表示用電圧から一つを選択して設定する設定手段と、この設定手段の状態を記憶する記憶手段と、この記憶手段の内容を表示する表示手段とを具備したことを特徴とする液晶表示濃度の調整装置。」（実用新案登録請求の範囲）が記載され、また、実施例として、表示部の６４（＝２６）通りの駆動電圧の中から代表として１６通りを選択して、これに「１」〜「１６」の番号を付し、テンキーにより１〜１６の数値を入力した後、「ＣＯＮＴ」キーを操作すると、１〜１６の数値がコントラストカウンタに記憶され、この数値に応じたコントラストで、この数値がコントラスト値として表示部に表示されること、また、数値を入力しないで、「ＣＯＮＴ」キーを操作すると、コントラストカウンタに記憶されている数値をそのまま用いて、この数値に応じたコントラストで、この数値がコントラスト値として表示部に表示されることが記載されている。
　同じく引用した刊行物２（実願昭６１−９５２１５号（実開昭６３−２９７９号）のマイクロフィルム）には、第２実施例として、キーボードの予め指定されたキーを押圧することにより、ＬＣＤの表示手段に「１」から「８」までのキャラクタと、その下に一定幅のカーソルを、カーソルの上のキャラクタの数に対応した濃度で表示し、次に、左右方向移動カーソルキーの操作により、カーソルを移動させると、表示手段の濃度が移動させたカーソルの上のキャラクタの数に対応した濃度にリアルタイムで変化する表示調整装置が記載されている。
（３）　対比・判断
▲１▼　本件発明と刊行物１に記載された発明とを対比すると、刊行物１の「コントラスト値」、「コントラストカウンタ」、「「ＣＯＮＴ」キー」が本件発明の「数値データ」、「記憶手段」、「モード設定手段」にそれぞれ相当し、両者は、記憶手段に記憶された数値データに従って表示装置の表示コントラストを調整し、数値データの数値自体を表示する表示調整装置である点で一致するが、本件発明の制御装置は、「数値データ変更モードが設定されたとき、第１の数値自体とモード内容とを表示するように表示手段及び調整手段を制御し、これに続いて第２の数値データが入力されたとき、第２の数値自体とモード内容とを表示するように表示手段及び調整手段を制御する」構成（以下、「本件構成Ａ」という。）であるのに対し、刊行物１の制御手段は、「ＣＯＮＴ」キーを操作すると、置数がなければ、現在のコントラスト値をその値に対応するコントラストで２秒間表示した後、通常表示に復帰し、置数があれば、その置数値をコントラストカウンタに記憶し、新しいコントラスト値をその値に対応するコントラ１ストで２秒間表示した後、通常表示に復帰するだけであり、数値自体とモード内容とを同時に表示する点の記載はなく、また、示唆もされていない。
▲２▼　刊行物２についてみても、本件構成Ａを示唆する記載はないから、刊行物１、２に記載された発明をいかに組み合わせてみても、本件構成Ａを着想することは、当業者にとって容易になし得るものではない。
▲３▼　そして、本件発明は、本件構成Ａを具備することにより、訂正明細書記載の「入力の状態が良く分かるなど調整のための操作性が良く、誤りのない正しい調整が可能とされるものである。」との作用効果を奏するものである。
▲４▼　してみると、本件発明は、刊行物１、２に記載された発明に基づいて当業者が容易に発明をすることができたものではない。
▲５▼　したがって、本件発明は、特許出願の際、独立して特許を受けることができるものである。
４　むすび
　以上のとおりであるから、上記１（１）〜（３）の訂正は、特許法の一部を改正する法律（平成６年法律１１６号）附則第６条第１項の規定により、なお従前の例によるとされる、特許法第１２０条の４第２項、同条第３項で準用する第１２６条第１〜３項の規定に適合するので、当該訂正を認める。
ＩＩＩ　特許異議の申立てについての判断
１　特許異議の申立ての理由の概要
（１）　特許異議申立人パイオニア株式会社は、証拠方法として、甲第１号証（実願昭６１−９５２１５号（実開昭６３−２９７９号）のマイクロフィルム）、甲第２号証（特開昭６０−２０６８９号公報）を提出し、請求項１、２に係る発明は、甲１、２号証に記載された発明に基づいて当業者が容易に発明をすることができたものであるから、請求項１、２に係る発明についての特許は、特許法第２９条第２項の規定に違反してなされたものであり、特許法第１１３条第１項第２号の規定により取り消されるべきものであると主張している。
（２）　また、特許異議申立人シャープ株式会社は、証拠方法として、甲第１号証（実願昭６１−９５２１５号（実開昭６３−２９７９号）のマイクロフィルム）を提出し、請求項１、２に係る発明は、甲１号証に記載された発明に基づいて当業者が容易に発明をすることができたものであるから、請求項１、２に係る発明についての特許は、特許法第２９条第２項の規定に違反してなされたものであり、特許法第１１３条第１項第２号の規定により取り消されるべきものであると主張している。
２　判断
（１）　特許異議申立人パイオニア株式会社の申立て理由について
▲１▼　特許異議申立人パイオニア株式会社が提出した甲第１号証は、上記取消理由で引用した刊行物２であり、上記ＩＩ３（３）で説示したとおり、甲第１号証には、本件構成Ａを示唆する記載はない。
▲２▼　甲第２号証には、コントラストを調整する際に、コントラスト調整データ自体を数値で表示する調整情報表示機能付きデジタルテレビジョン受像器が記載されるだけであり、本件構成Ａを示唆する記載はない。
▲３▼　そして、甲第１、２号証に記載された発明をいかに組み合わせてみても、本件構成Ａが生じるものではない。
▲４▼　本件発明は、本件構成Ａを具備することにより、上記ＩＩ３（３）で説示したとおりの作用効果を奏するものである。
▲５▼　したがって、本件発明は、甲第１、２号証に記載された発明に基づいて、当業者が容易に発明をすることができたものではない。
（２）　特許異議申立人シャープ株式会社の申立て理由について
▲１▼　特許異議申立人シャープ株式会社が提出した甲第１号証は、上記取消理由で引用した刊行物２であり、上記ＩＩ３（３）で説示したとおり、甲第１号証には、本件構成Ａを示唆する記載はない。
▲２▼　本件発明は、本件構成Ａを具備することにより、上記ＩＩ３（３）で説示したとおりの作用効果を奏するものである。
▲３▼　したがって、本件発明は、甲第１号証に記載された発明に基づいて、当業者が容易に発明をすることができたものではない。
３　むすび
　以上のとおりであるから、特許異議の申立ての理由および証拠方法によっては、本件発明の特許を取り消すことはできない。
　また、他に本件発明の特許を取り消すべき理由を発見しない。
　よって、結論のとおり決定する。
【異議決定日】
平成１１年１２月２０日（１９９９．１２．２０）
【訂正の要旨】
▲１▼訂正事項ａ
　平成８年７月１９日の本件請求人提出に係る手続補正書により補正された特許請求の範囲の記載
「（１）　本体装置への制御情報をキー入力する入力手段と、
　少なくとも前記本体装置の動作状態を表示する表示手段と、
　この表示手段の表示コントラストを調整する調整データを記憶する記憶手段と、この記憶手段に記憶された前記調整データに従って前記表示手段の表示コントラストを調整する調整手段と、
　前記記憶手段に記憶されている第１の調整データを変更する際、前記記憶手段に記憶されている第１の調整データを読み出し、この第１の調整データに従った表示コントラストで第１の調整データ自体を前記表示手段に表示するように前記表示手段及び前記調整手段を制御し、前記入力手段から第２の調整データが入力された際、この第２の調整データに従った表示コントラストで第２のデータ自体を前記表示手段に表示するように前記表示手段及び前記調整手段を制御する制御手段と、
　を具備したことを特徴とする表示調整装置。
（２）　本体装置への制御情報をキー入力する入力手段と、
　少なくとも前記本体装置の動作状態を表示する表示手段と、
　この表示手段の表示コントラストを調整する調整データを記憶する記憶手段と、この記憶手段に記憶された前記調整データに従って前記表示手段の表示コントラストを調整する調整手段と、
　前記入力手段から入力された情報によって前記記憶手段に記憶された調整データを変更する変更モードを設定するモード設定手段と、
　このモード設定手段により調整データ変更モードが設定されたとき、前記記憶手段に記憶されている第１の調整データを読み出し、この第１の調整データに従った表示コントラストで第１の調整データ自体を前記表示手段に表示するように前記表示手段及び前記調整手段を制御し、これに続いて前記入力手段から第２の調整データが入力されたとき、この第２の調整データに従った表示コントラストで第２のデータ自体を前記表示手段に表示するように前記表示手段及び前記調整手段を制御する制御手段と、
　を具備したことを特徴とする表示調整装置。」
を、特許請求の範囲の減縮を目的として、
「　本体装置への制御情報をキー入力する入力手段と、
　少なくとも前記本体装置の動作状態を表示する表示手段と、
　この表示手段の表示コントラストを
指定
数値
数値
　前記入力手段から入力された情報によって前記記憶手段に記憶された
数値
　このモード設定手段により
数値
数値
数値
数値
と前記モード設定手段で設定されたモード内容と
数値
数値
数値
と前記モード設定手段で設定されたモード内容と
　を具備したことを特徴とする表示調整装置。」
と訂正する。
▲２▼訂正事項ｂ
　明細書の第４頁第１７行目から第５頁第１０行目に記載した
「上記の目的を達成するために、この発明の表示調整装置にあっては、本体装置への制御情報をキー入力する入力手段と、少なくとも前記本体装置の動作状態を表示する表示手段と、この表示手段の表示コントラストを調整する調整データを記憶する記憶手段と、この記憶手段に記憶された前記調整データに従って前記表示手段の表示コントラストを調整する調整手段と、前記記憶手段に記憶されている第１の調整データを変更する際、前記記憶手段に記憶されている第１の調整データを読み出し、この第１の調整データに従った表示コントラストで第１の調整データ自体を前記表示手段に表示するように前記表示手段及び前記調整手段を制御し、前記入力手段から第２の調整データが入力された際、この第２の調整データに従った表示コントラストで第２のデータ自体を前記表示手段に表示するように前記表示手段及び前記調整手段を制御する制御手段とから構成されている。
　この発明の表示調整装置にあっては、本体装置への制御情報をキー入力する入力手段と、少なくとも前記本体装置の動作状態を表示する表示手段と、この表示手段の表示コントラストを調整する調整データを記憶する記憶手段と、この記憶手段に記憶された前記調整データに従って前記表示手段の表示コントラストを調整する調整手段と、前記入力手段から入力された情報によって前記記憶手段に記憶された調整データを変更する変更モードを設定するモード設定手段と、このモード設定手段により調整データ変更モードが設定されたとき、前記記憶手段に記憶されている第１の調整データを読み出し、この第１の調整データに従った表示コントラストで第１の調整データ自体を前記表示手段に表示するように前記表示手段及び前記調整手段を制御し、これに続いて前記入力手段から第２の調整データが入力されたとき、この第２の調整データに従った表示コントラストで第２のデータ自体を前記表示手段に表示するように前記表示手段及び前記調整手段を制御する制御手段とから構成されている。」
とあるのを、明瞭でない記載の釈明を目的として、
「上記の目的を達成するために、この発明の表示調整装置にあっては、本体装置への制御情報をキー入力する入力手段と、少なくとも前記本体装置の動作状態を表示する表示手段と、この表示手段の表示コントラストを指定する数値データを記憶する記憶手段と、この記憶手段に記憶された前記数値データに従って前記表示手段の表示コントラストを調整する調整手段と、前記入力手段から入力された情報によって前記記憶手段に記憶された数値データを変更する変更モードを設定するモード設定手段と、このモード設定手段により数値データ変更モードが設定されたとき、前記記憶手段に記憶されている第１の数値データを読み出し、この第１の数値データに従った表示コントラストで第１の数値自体と前記モード設定手段で設定されたモード内容とを前記表示手段に表示するように前記表示手段及び前記調整手段を制御し、これに続いて前記入力手段から第２の数値データが入力されたとき、この第２の数値データに従った表示コントラストで第２の数値自体と前記モード設定手段で設定されたモード内容とを前記表示手段に表示するように前記表示手段及び前記調整手段を制御する制御手段とから構成されてる。」と訂正する。
　また、明細書の第５頁第１２行目から第１８行目に記載した
「この発明は、本体装置への制御情報を入力手段でキー入力し、少なくとも前記本体装置の動作状態を表示手段に表示し、この表示手段の表示コントラストを調整する調整データを記憶し、記憶された前記調整データに従って前記表示手段の表示コントラストを調整手段で調整し、前記記憶されている第１の調整データを変更する際、前記記憶されている第１の調整データを読み出し、この第１の調整データに従った表示コントラストで第１の調整データ自体を前記表示手段に表示するように前記表示手段及び前記調整手段を制御し、前記入力手段から第２の調整データが入力された際、この第２の調整データに従った表示コントラストで第２のデータ自体を前記表示手段に表示するように前記表示手段及び前記調整手段を制御するようにしたものである。」
とあるのを、明瞭でない記載の釈明を目的として、
「この発明は、本体装置への制御情報を入力手段からキー入力し、少なくとも前記本体装置の動作状態を表示手段に表示し、この表示手段の表示コントラストを指定する数値データを記憶し、記憶された前記数値データに従って前記表示手段の表示コントラストを調整手段で調整し、前記入力手段から入力された情報によって前記記憶された数値データを変更する変更モードが設定された際、前記記憶されている第１の数値データを読み出し、この第１の数値データに従った表示コントラストで第１の数値自体と前記設定されたモード内容とを前記表示手段に表示するように前記表示手段及び前記調整手段を制御し、前記入力手段から第２の数値データが入力された際、この第２の数値データに従った表示コントラストで第２の数値自体と前記設定されたモード内容とを前記表示手段に表示するように前記表示手段及び前記調整手段を制御するようにしたものである。」
と訂正する。
（５４）【発明の名称】
表示調整装置
（５７）【特許請求の範囲】
　本体装置への制御情報をキー入力する入力手段と、
　少なくとも前記本体装置の動作状態を表示する表示手段と、
　この表示手段の表示コントラストを
指定
数値
数値
　前記入力手段から入力された情報によって前記記憶手段に記憶された
数値
　このモード設定手段により
数値
数値
数値
数値
と前記モード設定手段で設定されたモード内容と
数値
数値
と前記モード設定手段で設定されたモード内容と
　を具備したことを特徴とする表示調整装置。
【発明の詳細な説明】
　［発明の目的］
　（産業上の利用分野）
　この発明は、たとえば電子複写機に用いられる操作パネルなどに利用される表示調整装置に関する。
　（従来の技術）
　一般に、たとえば電子複写機に利用される操作パネルには、表示手段としてＬＣＤ（リキッド・クリスタル・ディスプレイ）が用いられている。この種の操作パネルには、上記ＬＣＤの表示コントラストが一定に固定されているものと、可変可能なものとがある。
　ＬＣＤの表示コントラストが可変可能とされている操作パネルでは、通常、その調整がアナログ的なボリウムによって行われるようになっている。
　しかしながら、このボリウムは複写機本体の内部に設けられ、むやみにいじれないようになっている。このため、調整時には、複写機本体のカバーを外すのに時間や手間がかかるものであり、またボリウムがアナログ的であるために調整しずらい、人によって表示コントラストに差が生じ易いなどの欠点があった。
　（発明が解決しようとする課題）
　上記したように、従来の操作パネルにおいては、ＬＣＤの表示コントラストの調整に非常に手間がかかるという欠点があった。
　そこで、この発明は、手軽に表示手段の表示コントラストを調整することができる表示調整装置を提供することを目的としている。
　［発明の構成］
　（課題を解決するための手段）
　上記の目的を達成するために、この発明の表示調整装置にあっては、本体装置への制御情報をキー入力する入力手段と、少なくとも前記本体装置の動作状態を表示する表示手段と、この表示手段の表示コントラストを指定する数値データを記憶する記憶手段と、この記憶手段に記憶された前記数値データに従って前記表示手段の表示コントラストを調整する調整手段と、前記入力手段から入力された情報によって前記記憶手段に記憶された数値データを変更する変更モードを設定するモード設定手段と、このモード設定手段により数値データ変更モードが設定されたとき、前記記憶手段に記憶されている第１の数値データを読み出し、この第１の数値データに従った表示コントラストで第１の数値自体と前記モード設定手段で設定されたモード内容とを前記表示手段に表示するように前記表示手段及び前記調整手段を制御し、これに続いて前記入力手段から第２の数値データが入力されたとき、この第２の数値データに従った表示コントラストで第２の数値自体と前記モード設定手段で設定されたモード内容とを前記表示手段に表示するように前記表示手段及び前記調整手段を制御する制御手段とから構成されている。
　（作用）
　この発明は、本体装置への制御情報を入力手段からキー入力し、少なくとも前記本体装置の動作状態を表示手段に表示し、この表示手段の表示コントラストを指定する数値データを記憶し、記憶された前記数値データに従って前記表示手段の表示コントラストを調整手段で調整し、前記入力手段から入力された情報によって前記記憶された数値データを変更する変更モードが設定された際、前記記憶されている第１の数値データを読み出し、この第１の数値データに従った表示コントラストで第１の数値自体と前記設定されたモード内容とを前記表示手段に表示するように前記表示手段及び前記調整手段を制御し、前記入力手段から第２の数値データが入力された際、この第２の数値データに従った表示コントラストで第２の数値自体と前記設定されたモード内容とを前記表示手段に表示するように前記表示手段及び前記調整手段を制御するようにしたものである。
　（実施例）
　以下、この発明の一実施例について図面を参照して説明する。
　第３図は、この発明の表示調整装置を、電子複写機（本体装置）の操作パネルを例に示すものである。
　第３図において、操作パネル３０には、複写開始などを指令するコピーキー３１、複写枚数の設定などを行うテンキー３２、サイズ別に用紙が収納されている上段，中段，下段カセットを選択するカセット選択キー３３、原稿の載置方向や選択されたカセットおよび用紙づまり（ジャム）などを表示する表示部３４、選択されたカセットの用紙サイズを表示する用紙サイズ表示部３５、原稿サイズを表示する原稿サイズ表示部３６、拡大倍率を最高２００％まで無段階に設定する拡大キー３７、縮小倍率を最高６５％まで無段階に設定する縮小キー３８、複写倍率を１００％の等倍に設定する等倍キー３９、複写濃度を設定するコピー濃度設定部４０、複写倍率や複写枚数および複写機の動作状態などをメッセージにより表示する表示手段としての液晶表示器（以下、ＬＣＤと略記する）４１、予熱状態およびそれを解除する予熱キー４２、連続複写の途中で割込みによる複写を行う際などに操作する割込キー４３、複写枚数や倍率などの設定された条件をキャンセルするオールクリアキー４４、複写枚数の訂正および複写動作の中止などを指示するクリア／ストップキー４５、頁連写機能を設定するベージ連写キー４６、各種綴じ代を設定するとじしろキー４７、および複写の総枚数を計数表示するトータルカウンタ４８などが設けられている。
　上記ＬＣＤ４１は、後述する調整データに応じてアナログ電圧が可変されることにより、その表示コントラストが変化されるようになっている。
　また、ＬＣＤ４１の表示コントラストの調整を行う際においては、上記した入力手段としての設定部４０およびキー３１〜３３，３７〜３９，４２〜４７のうち、たとえばコピーキー３１、テンキー３２、および割込キー４３がコントラスト調整手段として機能される。すなわち、テンキー３２は、テストモードヘの投入のためのコード入力、調整モードの設定のためのコード入力、調整データの入力などに用いられる。また、コピーキー３１は、調整モードの設定および調整データをＬＣＤ４１に表示させる際に用いられる。さらに、割込キー４３は、調整データをメモリ（後述する）へ記憶させる際に用いられる。
　第１図は、操作パネル３０の構成を概略的に示すものである。すなわち、３０ａは操作パネル３０のコンパネユニット（操作部）であり、このコンパネユニット３０ａには前述したコピーキー３１、テンキー３２、割込キー４３などのコントラスト調整手段４９やＬＣＤ４１などが配設されている。
　一方、３０ｂは複写機の本体内に設けられたパネル制御部であり、このパネル制御部３０ｂには全体の制御を司るＣＰＵ（セントラル・プロセシング・ユニット）１１、調整データが記憶される記憶手段としてのメモリ１２、および８ビットのデジタル／アナログ変換器（以下、Ｄ／Ａ変換器と略記する）１３が設けられている。
　上記ＣＰＵ１１は、コンパネユニット３０ａのキー入力制御、ＬＣＤ４１の表示制御、メモリ１２との間での調整データのやり取り、およびＤ／Ａ変換器１３への調整データの出力などを制御するものである。
　Ｄ／Ａ変換器１３は、たとえば＋５ボルトを２▲晦▼＝２５６分割し、ＣＰＵ１１からの調整データに応じたアナログ電圧を出力するものである。すなわち、ＣＰＵ１１からの調整データがたとえば「１２８」の場合には、２．５（５×１２８／２５６）ボルトのアナコグ電圧をＬＣＤ４１に出力するようになっている。
　このように、パネル制御部３０ｂでは、メモリ１２に記憶された調整データに応じて、Ｄ／Ａ変換器１３から出力されるアナログ電圧を制御することにより、ＬＣＤ４１の表示を一定の表示コントラストに保つようになっている。
　次に、ＬＣＤ４１の表示コントラストを調整する際の動作について説明する。
　たとえば今、テンキー３２の「０」と「５」とを押しながら電源スイッチ（図示しない）が投入、または待機中において、テンキー３２の「０」と「５」とが同時に押されたとする。すると、ＣＰＵ１１の表示制御により、ＬＣＤ４１には、たとえば第２図（ａ）に示す如く、選択中の複写倍率「１００％」ａ、「テストモード」ｂ、「Ａ」ｃが表示される。この場合、ＬＣＤ４１の表示は、メモリ１２内の調整データに応じた表示コントラストにて行われる。これにより、テストモードが設定されたことが示される。
　そして、テンキー３２により調整用コードとしてたとえば「９９」が入力された後、コピーキー３１が投入されたとする。すると、たとえば第２図（ｂ）に示す如く、選択中の複写倍率「１００％」ａ、「ＬＣＤコントラスト」ｂ、「１２８（メモリ１２に記憶されている現在の調整データ）」ｃ，ｄがＬＣＤ４１に表示される。これにより、ＬＣＤ４１の表示コントラストを調整する調整モードが設定されたことが示される。この場合も、ＬＣＤ４１の表示は、メモリ１２内の調整データに応じた表示コントラストにて行われる。
　この状態において、ＬＣＤ４１の表示コントラストを見ながら、それが最適となる新たな調整データの入力がテンキー３２により行われる。すなわち、テンキー３２によりたとえば「１３８」がキー入力されたとする。すると、たとえば第２図（ｃ）に示す如く、ＬＣＤ４１のｃの位置にキー入力された新しい調整データ「１３８」が表示される。
　続いて、上記表示の状態において、割込キー４３が投入される。すると、ＣＰＵ１１の制御により、ＬＣＤ４１に表示されている新しい調整データ「１３８」がメモリ１２に記憶される。また、ＬＣＤ４１の表示が、たとえば第２図（ｄ）に示す如く、テストモード（第２図（ａ）参照）のときの表示に変更される。なお、この場合、ＬＣＤ４１の表示は、メモリ１２内に記憶された新しい調整データ「１３８」に応じたアナログ電圧（・２．７ボルト）がＤ／Ａ変換器１３から出力されることにより、上記調整データ「１３８」に応じた表示コントラストにて行われる。
　このようにして、ＬＣＤ４１の表示を観察しながら、上記の操作を繰り返して最適ポイントを見つけだすことにより、ＬＣＤ４１では最適な表示コントラストにて表示が行われることになる。
　上記したように、調整モードにおいて、操作パネル上のキーの入力によってメモリに記憶された調整データを書換えることにより、ＬＣＤの表示コントラストを調整できるようになっている。
　すなわち、操作パネルのキーを用いることにより、ＬＣＤの表示コントラストの調整が行えるようにしている。これにより、デジタル的な調整が可能であり、だれでも一定の表示コントラストに調整できる（再現性が高い）とともに、微調整も簡単に行い得るようになる。したがって、複写機本体のカバーを外すのに時間や手間がかかるなどの不具合なく、手軽にＬＣＤの表示コントラストの調整を行うことができるものである。
　また、調整モードにおいては、現在の調整データと新しい調整データ、調整モードであることなどを表示するようにしている。このため、入力の状態が良く分るなど調整のための操作性が良く、誤りのない正しい調整が可能とされるものである。
　なお、上記実施例においては、電子複写機に用いられる操作パネルを例に説明したが、これに限らず、たとえば表示手段としてのＬＣＤを備えるものであれば良く、各種の電子機器に用いられるものに適用できる。
　その他、この発明の要旨を変えない範囲において、種々変型実施可能なことは勿論である。
　［発明の効果］
　以上、詳述したようにこの発明によれば、パネル上の入力手段を用いて表示手段の表示コントラストを調整することができるため、手軽に表示手段の表示コントラストを調整することができる表示調整装置を提供できる。
【図面の簡単な説明】
　図面はこの発明の一実施例を示すもので、第１図はこの発明の表示調整装置の構成を電子複写機の操作パネルを例に示すブロック図、第２図は調整動作を説明するために示す図、第３図は操作パネルの一例を示す構成図である。
　１１…ＣＰＵ、１２…メモリ、１３…Ｄ／Ａ変換器、３０…操作パネル、３０ａ…コンパネユニット、３０ｂ…パネル制御部、３１…コピーキー、３２…テンキー、４１…ＬＣＤ、４３…割込キー、４９…コントラスト調整手段。